(57)【要約】      （修正有）【課題】上下の横材および左右の縦材の厚み寸法を極力小さくした状態で強度のアップを図るとともに、組立て易い構造の外枠を提供する。【解決手段】遊技機の外枠は、上下の横材１２，１４、および左右の縦材１６，１８が、折り曲げ成形された一対の鉄板を表裏から合わせることで、筒状に形成されており、上下の横材１２，１４と、左右の縦材１６，１８との間には、横材１２，１４と縦材１６，１８とが互いに接触しないように、各々の横材１２，１４と各々の縦材１６，１８とを連結する角部構成部材２１〜２４が配置されており、角部構成部材２１〜２４は、樹脂製で、側面Ｌ字形状となるようにほぼ直角に接合された縦材連結板および横材連結板と、その縦材連結板および横材連結板に対してほぼ直角に形成されて、前記縦材連結板と横材連結板とをつなぐ複数のリブ板とを備え、前記横材連結板、縦材連結板および複数のリブ板が一体成形されていることを特徴とする。【選択図】図１
2006116202.tif 000002
【特許請求の範囲】
【請求項１】
独立して成形された上下の横材、および左右の縦材から縦長四角枠状に組立てられる遊技機の外枠であって、
前記上下の横材、および左右の縦材は、折り曲げ成形された一対の鉄板を表裏から合わせることで、筒状に形成されており、
前記上下の横材と、左右の縦材との間には、前記横材と前記縦材とが互いに接触しないように、各々の横材と各々の縦材とを連結する角部構成部材が配置されており、
前記角部構成部材は、樹脂製で、側面Ｌ字形状となるようにほぼ直角に接合された縦材連結板および横材連結板と、その縦材連結板および横材連結板に対してほぼ直角に形成されて、前記縦材連結板と横材連結板とをつなぐ複数のリブ板とを備えており、前記横材連結板、縦材連結板および複数のリブ板が一体成形されていることを特徴とする遊技機の外枠。
【請求項２】
請求項１に記載された遊技機の外枠であって、
上下の横材、および左右の縦材を構成する一対の鉄板は、互いに等しい形状で断面略コ字形に折り曲げ成形されており、
前記一対の鉄板における各々の側板が重ねられ、かつそれらの鉄板の底板が対向するように配置されることで、前記上下の横材、および左右の縦材が角筒状に形成されていることを特徴とする遊技機の外枠。
【請求項３】
請求項１又は請求項２のいずれかに記載された遊技機の外枠であって、
角部構成部材の横材連結板が横材に挿入された状態で、その横材連結板が前記横材に固定され、
前記角部構成部材の縦材連結板が縦材に挿入された状態で、その縦材連結板が前記縦材に固定される構成であることを特徴とする遊技機の外枠。
【請求項４】
請求項１又は請求項２のいずれかに記載された遊技機の外枠であって、
角部構成部材の横材連結板が横材の外側面に面接触した状態で、その横材連結板が前記横材に固定され、
前記角部構成部材の縦材連結板が縦材の外側面に面接触した状態で、その縦材連結板が前記縦材に固定される構成であることを特徴とする遊技機の外枠。
【請求項５】
独立して成形された上下の横材、および左右の縦材から縦長四角枠状に組立てられる遊技機の外枠であって、
前記左右の縦材は、折り曲げ成形された鉄板を表裏から合わせることで、筒状に形成されており、
上下の横材は樹脂成形品であり、その両端に前記横材と各々の縦材とを連結可能な角部構成部材が設けられており、
前記角部構成部材は、前記横材に対してほぼ直角に接合された縦材連結板と、その縦材連結板および前記横材に対してほぼ直角に形成されて、前記縦材連結板と横材とをつなぐ複数のリブ板とを備えており、前記横材、縦材連結板および複数のリブ板が一体成形されていることを特徴とする遊技機の外枠。
【発明の詳細な説明】
【技術分野】
【０００１】
本発明は、独立して成形された上下の横材、および左右の縦材から縦長四角枠状に組立てられる遊技機の外枠に関する。
【背景技術】
【０００２】
これに関連する従来の遊技機の外枠が特許文献１に記載されている。
前記外枠は、パチンコ機の外枠９０であり、図９に示すように、樹脂材料によりそれぞれ独立して形成された上部形成体９２、右縦材９３、左縦材９４および下部形成体９５から縦長四角枠状に組立てられている。右縦材９３と左縦材９４には、ほぼ等しい長さ寸法の成形鉄板９６がネジ等により内側から張り付けられている。この成形鉄板９６の働きにより、縦に長い樹脂製の右縦材９３および左縦材９４の強度がアップし、外枠９０の変形を防止できるようになる。
【０００３】
【特許文献１】特開２００３−２７５４３２号公報
【発明の開示】
【発明が解決しようとする課題】
【０００４】
しかし、上記した外枠９０を構成する右縦材９３および左縦材９４は成形鉄板９６で補強される構成のため部品点数が多くなり、外枠９０の組立てに手間が掛る。外枠９０の組立て性を向上させるため、型内に成形鉄板９６をインサートして右縦材９３、左縦材９４を成形することも考えられるが、このようにすると遊技機の寿命後に外枠９０を廃棄する際に樹脂製の右縦材９３、左縦材９４から成形鉄板９６を外すことが難しく、リサイクルが困難になる。
また、右縦材９３、左縦材９４の厚み寸法を大きくして、成形鉄板９６による補強を不要にすることも考えられる。しかし、右縦材９３、左縦材９４の厚み寸法を大きくすると、その右縦材９３、左縦材９４の厚み増加分だけ外枠９０の内部スペース（幅寸法）が小さくなり、希望する内側幅寸法を確保できない場合がある。
【０００５】
本発明は、上記問題点を解決するためになされたものであり、本発明の技術的課題は、外枠を構成する左右の縦材の厚み寸法を極力小さくした状態で強度のアップを図るとともに、組立て易い構造の外枠を提供すること。さらに、外枠を廃棄する際のリサイクル性を向上させることである。
【課題を解決するための手段】
【０００６】
上記した課題は、各請求項の発明によって解決される。
請求項１の発明は、独立して成形された上下の横材、および左右の縦材から縦長四角枠状に組立てられる遊技機の外枠であって、前記上下の横材、および左右の縦材は、折り曲げ成形された一対の鉄板を表裏から合わせることで、筒状に形成されており、前記上下の横材と、左右の縦材との間には、前記横材と前記縦材とが互いに接触しないように、各々の横材と各々の縦材とを連結する角部構成部材が配置されており、前記角部構成部材は、樹脂製で、側面Ｌ字形状となるようにほぼ直角に接合された縦材連結板および横材連結板と、その縦材連結板および横材連結板に対してほぼ直角に形成されて、前記縦材連結板と横材連結板とをつなぐ複数のリブ板とを備えており、前記横材連結板、縦材連結板および複数のリブ板が一体成形されていることを特徴とする。
【０００７】
本発明によると、上下の横材、および左右の縦材は、折り曲げ成形された鉄板を表裏から合わせることで、筒状に形成されている。このため、上下の横材、および左右の縦材を一枚の成形鉄板で形成する場合や樹脂板により形成する場合と比較して強度を容易に向上させることができる。このため、左右の縦材等の厚み寸法を小さくすることができ、外枠の内部スペース（幅寸法）を大きく確保することができる。また、上下の横材、および左右の縦材は鉄板により形成されているため、リサイクル性が良い。
さらに、上下の横材、および左右の縦材を連結する角部構成部材は、樹脂製であるため、鉄板では形成できない複雑な形状を成形可能であり、両連結板、リブ板の肉厚寸法やそのリブ板の数も外枠の強度に合わせて自由に増加することが可能になる。さらに、外枠の強度に合わせて角部構成部材に肉厚寸法を増加させても、角部構成部材は外枠の四隅に配置される構成のため、外枠の内部スペース（幅寸法）が狭められることがない。
さらに、四隅の角部構成部材により上下の横材、および左右の縦材を連結する構成のため、外枠の組立てが容易になる。
【０００８】
請求項２の発明によると、上下の横材、および左右の縦材を構成する一対の鉄板は、互いに等しい形状で断面略コ字形に折り曲げ成形されており、前記一対の鉄板における各々の側板が重ねられ、かつそれらの鉄板の底板が対向するように配置されることで、前記上下の横材、および左右の縦材が角筒状に形成されていることを特徴とする。
このように、上下の横材、および左右の縦材は、互いに等しい形状で断面略コ字形に折り曲げ成形された一対の鉄板により形成される構成のため、前記鉄板の製作が容易であるとともに、上下の横材、および左右の縦材の製作も容易になり、製作コストの低減を図ることができる。
【０００９】
請求項３の発明によると、角部構成部材の横材連結板が横材に挿入された状態で、その横材連結板が前記横材に固定され、前記角部構成部材の縦材連結板が縦材に挿入された状態で、その縦材連結板が前記縦材に固定される構成であることを特徴とする。
請求項４の発明によると、角部構成部材の横材連結板が横材の外側面に面接触した状態で、その横材連結板が前記横材に固定され、前記角部構成部材の縦材連結板が縦材の外側面に面接触した状態で、その縦材連結板が前記縦材に固定される構成であることを特徴とする。
【００１０】
請求項５の発明は、独立して成形された上下の横材、および左右の縦材から縦長四角枠状に組立てられる遊技機の外枠であって、前記左右の縦材は、折り曲げ成形された鉄板を表裏から合わせることで、筒状に形成されており、上下の横材は樹脂成形品であり、その両端に前記横材と各々の縦材とを連結可能な角部構成部材が設けられており、前記角部構成部材は、前記横材に対してほぼ直角に接合された縦材連結板と、その縦材連結板および前記横材に対してほぼ直角に形成されて、前記縦材連結板と横材とをつなぐ複数のリブ板とを備えており、前記横材、縦材連結板および複数のリブ板が一体成形されていることを特徴とする。
このように、上下の横材を樹脂製にして、それらの横材と角部構成部材とを一体化することにより、部品点数を減少させることができる。
【発明の効果】
【００１１】
本発明によれば、上下の横材および左右の縦材の厚み寸法を極力小さくした状態で強度のアップを図ることができるとともに、組立て易い構造の外枠を提供できるようになる。さらに、外枠を廃棄する際のリサイクル性も向上する。
【発明を実施するための最良の形態】
【００１２】
以下、図１から図８に基づいて、本発明の実施形態１に係るパチンコ機の外枠の説明を行う。ここで、図１は本実施形態に係るパチンコ機の外枠の全体斜視図、図２、図３は外枠を構成する角部構成部材の斜視図、図４は外枠を構成する上下の横材および左右の縦材等の横断面図である。図５、図６は角部構成部材と横材および縦材との連結状態を表す側面図である。また、図７は外枠を構成する上部横材の変更例を表す斜視図等、図８は外枠の変更例を表す全体斜視図である。なお、パチンコ機の幅方向をＸ方向、前後方向をＹ方向、高さ方向をＺ方向として図示する。
【００１３】
外枠１０は、パチンコ機の本体ケースとして使用される枠であり、図１に示すように、縦長四角枠状に形成されている。外枠１０の前面側には、ヒンジ機構４、５によって遊技盤や制御装置等の支持枠である表枠（図示省略）が扉状に開閉可能な状態で取付けられるようになっている。
外枠１０は、独立して成形された上部横材１２と、下部横材１４と、左縦材１６、および右縦材１８とから縦長四角枠状に組立てられている。上部横材１２と左縦材１６との間には第１角部構成部材２１が配置されており、その第１角部構成部材２１によって上部横材１２と左縦材１６とが直角に連結されている。上部横材１２と右縦材１８との間には第２角部構成部材２２が配置されており、その第２角部構成部材２２によって上部横材１２と右縦材１８とが直角に連結されている。下部横材１４と右縦材１８との間には第３角部構成部材２３が配置されており、その第３角部構成部材２３によって下部横材１４と右縦材１８とが直角に連結されている。また、下部横材１４と左縦材１６とは第４角部構成部材２４が配置されており、その第４角部構成部材２４によって下部横材１４と左縦材１６とが直角に連結されている。
【００１４】
上部横材１２、左縦材１６および右縦材１８は、図４（Ｂ）の横断面図に示すように、一対の等しい形状の成形鉄板３０を互いに表裏から合わせることで扁平角筒状に形成されている。成形鉄板３０は、一定幅寸法で所定長さ寸法に裁断された帯状平板の両側を一定幅寸法だけ直角に折り曲げることで、断面コ字形の溝状に形成されている。即ち、成形鉄板３０は、溝の底部に相当する底板３２と、溝の側面に相当する側板３４とから構成されている。
一対の成形鉄板３０は、図４（Ｂ）に示すように、互いの側板３４が重なるように、かつ互いの底板３２が対向するように合わせられ、側板３４の重なる部分が、例えば、ネジ等で固定される（図４（Ｂ）一点鎖線参照）。これによって、上部横材１２、左縦材１６および右縦材１８は、扁平角筒状に形成される。
下部横材１４は、扁平角筒状に形成された二本の板状体を、図１に示すように、断面Ｌ字形に組み合わせることにより構成されている。即ち、下部横材１４は、外枠１０の底面を構成する底板部１４ｂと、その底板部１４ｂに対して直角に立てられた前面板部１４ｚとにより、断面Ｌ字形に形成されている。さらに、下部横材１４の前面板部１４ｚには、その上面左側に上記したヒンジ機構５が取付けられるようになっている。
【００１５】
第１角部構成部材２１は、上部横材１２と左縦材１６とを互いに直角に位置決めした状態で連結する部材であり、前記表枠を回転可能に支持するヒンジ機構４を備えている。第２角部構成部材２２、第３角部構成部材２３および第４角部構成部材２４は、上部横材１２と右縦材１８、下部横材１４と右縦材１８および左縦材１６とを互いに直角に位置決めした状態でそれぞれ連結する部材であり、等しい形状および等しい寸法で形成されている。
第１角部構成部材２１、第２角部構成部材２２、第３角部構成部材２３および第４角部構成部材２４は、樹脂を型内に射出することにより後記する形状に成形される。
【００１６】
第２角部構成部材２２、第３角部構成部材２３および第４角部構成部材２４（以下、代表して第２角部構成部材２２という）は、図２（Ａ）に示すように、側面Ｌ字形状となるようにほぼ直角に接合された縦材連結板２２ｔおよび横材連結板２２ｙとを備えている。横材連結板２２ｙと縦材連結板２２ｔとの幅方向両側には、その横材連結板２２ｙおよび縦材連結板２２ｔに対して直角に側板２２ｓが形成されている。即ち、第２角部構成部材２２は、その横断面形状が扁平コ字型になるように形成されている。側板２２ｓは、横材連結板２２ｙの先端から縦材連結板２２ｔの先端まで連続した塀状に形成されており、横材連結板２２ｙと縦材連結板２２ｔとの接合部分の近傍でその高さ寸法（幅寸法）が大きくなるように設定されている。即ち、側板２２ｓが本発明のリブ板に相当する。なお、リブ板は、横材連結板２２ｙと縦材連結板２２ｔとの幅方向中央位置に追加することが可能である。
【００１７】
第２角部構成部材２２の横材連結板２２ｙおよび側板２２ｓの表面ほぼ中央には、幅方向に延びる段差２２ｄが形成されている。そして、前記段差２２ｄよりも基端部側に位置する横材連結板２２ｙの幅寸法が上部横材１２の幅寸法と等しい値に設定されている。また、前記段差２２ｄよりも基端部側に位置する側板２２ｓの高さ寸法（幅寸法）が上部横材１２の厚み寸法以上に設定されている。さらに、前記段差２２ｄよりも先端側に位置する横材連結板２２ｙの幅寸法および側板２２ｓの高さ寸法（幅寸法）が上部横材１２の内側に挿入可能な寸法に設定されている（図２（Ａ）、図４（Ａ）参照）。
同様に、縦材連結板２２ｔおよび側板２２ｓの表面ほぼ中央には、幅方向に延びる段差２２ｄが形成されている。そして、前記段差２２ｄよりも基端部側に位置する縦材連結板２２ｔの幅寸法が右縦材１８の幅寸法と等しい値に設定されている。また、前記段差２２ｄよりも基端部側に位置する側板２２ｓの高さ寸法（幅寸法）が右縦材１８の厚み寸法以上に設定されている。さらに、前記段差２２ｄよりも先端側に位置する縦材連結板２２ｔの幅寸法および側板２２ｓの高さ寸法（幅寸法）が右縦材１８の内側に挿入可能な値に設定されている。
【００１８】
第３角部構成部材２３および第４角部構成部材２４は、上記した第２角部構成部材２２と等しい構成のため、各部位に第２角部構成部材２２と等しい番号を付して説明を省略する（図２（Ｂ）、図３（Ｂ）参照）。
第１角部構成部材２１は、図３（Ａ）に示すように、縦材連結板２２ｔおよび横材連結板２２ｙの接合部分の近傍から前方に突出したヒンジ支持部２１ｘを備えており、そのヒンジ支持部２１ｘに前述のヒンジ機構４が装着されている。なお、第１角部構成部材２１のその他の構成は、上記した第２角部構成部材２２と等しい構成のため、第２角部構成部材２２と等しい番号を付して説明を省略する。
【００１９】
次に、上部横材１２、左縦材１６、右縦材１８および下部横材１４と、第１〜第４角部構成部材２１，２２，２３，２４を使用して外枠１０を組立てる手順を説明する。
先ず、下部横材１４の底板部１４ｂに対して右側から第３角部構成部材２３の横材連結板２２ｙおよび側板２２ｓの先端側が挿入され、左側から第４角部構成部材２４の横材連結板２２ｙおよび側板２２ｓの先端側が挿入される（図５、図４（Ａ）参照）。そして、第３角部構成部材２３の横材連結板２２ｙおよび第４角部構成部材２４の横材連結板２２ｙが底板部１４ｂに対してネジにより固定される。
次に、上部横材１２に対して右側から第２角部構成部材２２の横材連結板２２ｙおよび側板２２ｓの先端側が挿入され、左側から第１角部構成部材２１の横材連結板２２ｙおよび側板２２ｓの先端側が挿入される。そして、第２角部構成部材２２の横材連結板２２ｙおよび第１角部構成部材２１の横材連結板２２ｙが上部横材１２に対してネジにより固定される。
【００２０】
次に、左縦材１６に対して下方から第４角部構成部材２４の縦材連結板２２ｔおよび側板２２ｓの先端側が挿入され、上方から第１角部構成部材２１の縦材連結板２２ｔおよび側板２２ｓの先端側が挿入される。そして、第４角部構成部材２４の縦材連結板２２ｔおよび第１角部構成部材２１の縦材連結板２２ｔが左縦材１６に対してネジにより固定される。
次に、右縦材１８に対して下方から第３角部構成部材２３の縦材連結板２２ｔおよび側板２２ｓの先端側が挿入され、上方から第２角部構成部材２２の縦材連結板２２ｔおよび側板２２ｓの先端側が挿入される。そして、第３角部構成部材２３の縦材連結板２２ｔおよび第２角部構成部材２２の縦材連結板２２ｔが右縦材１８に対してネジにより固定され、外枠１０が縦長四角枠状に組立てられる。
【００２１】
このように、本実施形態に係るパチンコ機の外枠１０によると、上下の横材１２，１４、および左右の縦材１６，１８は、成形鉄板３０を表裏から合わせることで、筒状に形成されている。このため、上下の横材１２，１４、および左右の縦材１６，１８を一枚の成形鉄板で形成する場合や樹脂板により形成する場合と比較して前記横材１２，１４、および縦材１６，１８の強度を容易に向上させることができる。このため、左右の縦材１６，１８等の厚み寸法を小さくすることができ、外枠１０の内部スペース（幅寸法）を大きく確保することができる。また、上下の横材１２，１４、および左右の縦材１６，１８は成形鉄板３０により形成されているため、リサイクル性が良い。
【００２２】
さらに、第１〜第４角部構成部材２１，２２，２３，２４は、樹脂製であるため、鉄板では形成できない複雑な形状を成形可能であり、肉厚寸法やリブ板２２ｓの数も外枠１０の強度に合わせて自由に増加させることが可能になる。さらに、外枠１０の強度に合わせて第１〜第４角部構成部材２１，２２，２３，２４の肉厚寸法を増加させても、第１〜第４角部構成部材２１，２２，２３，２４は外枠１０の四隅に配置される構成のため、外枠１０の内部スペース（幅寸法）が狭められることがない。
さらに、四隅の角部構成部材２１，２２，２３，２４により上下の横材１２，１４、および左右の縦材１６，１８を連結する構成のため、外枠１０の組立てが容易になる。
また、上下の横材１２，１４、および左右の縦材１６，１８は、互いに等しい形状で断面略コ字形に折り曲げ成形された一対の成形鉄板３０により構成されるため、成形鉄板３０の製作が容易であるとともに、上下の横材１２，１４、および左右の縦材１６，１８の製作も容易になり、製作コストの低減を図ることができる。
【００２３】
本実施形態に係る外枠１０では、各々の角部構成部材２１，２２，２３，２４の先端側を横材１２，１４および縦材１６，１８に挿入した状態でビス等により固定する例を示したが、図６に示すように、各々の角部構成部材２１，２２，２３，２４の先端側を横材１２，１４および縦材１６，１８の外面に嵌め合わせた状態でビス等により固定することも可能である。
また、図７（Ａ）に示すように、上部横材１２の成形鉄板３０に長手方向に延びる開口３２ｈを形成し、その上部横材１２の内部に木板４０を収納することも可能である（図７（Ｂ）（Ｃ）参照）。ここで、図７（Ｂ）は図７（Ａ）のB-B矢視断面図であり、図７（Ｃ）は図７（Ａ）のC-C矢視断面図である。このように、上部横材１２に木板４０を収納することで、開口３２ｈの部分を利用してその上部横材１２の木板４０に釘を打つことが可能になる。これによって、例えば、多数のパチンコ機をトラック等で搬送する場合等に、並べられたパチンコ機の上部横材１２の上に板材を渡し、その板材を上部横材１２の木板４０に釘で止めることにより、多数のパチンコ機を互いに連結することが可能になる。この結果、トラックの荷箱内で荷崩れ等が発生し難くなる。また、図７（Ａ）に示すように、開口３２ｈに沿って上部横材１２の背面に切欠き１２ｃを設ける場合には、図７（Ｃ）に示すように、切欠き１２ｃの部分における成形鉄板３０を開放し、その成形鉄板３０から突出する木板４０を切欠き１２ｃの形状に切削加工するのが施工上好ましい。
【００２４】
また、本実施形態に係る外枠１０では、横材１２，１４を成形鉄板３０により扁平角筒状に形成する例を示したが、図８に示すように、横材１２，１４を樹脂成形して角部構成部材２１，２２，２３，２４と一体化することも可能である。
また、本実施形態では、パチンコ機の外枠１０について説明を行ったが、パチンコ機以外の外枠、例えば、スロットルマシンの外枠等に本発明を適用することも可能である。
【図面の簡単な説明】
【００２５】
【図１】本発明の実施形態１に係るパチンコ機の外枠の全体斜視図である。
【図２】外枠を構成する角部構成部材の斜視図（Ａ図（図１のIIA拡大図），Ｂ図（図１のIIB拡大図））である。
【図３】外枠を構成する角部構成部材の斜視図（Ａ図（図１のIIIA拡大図），Ｂ図（図１のIIIB拡大図））である。
【図４】外枠を構成する上下の横材の横断面図（Ａ図（図２のIVA-IVA矢視断面図））、および左右の縦材の横断面図（Ｂ図（図１のIVB-IVB矢視断面図））である。
【図５】角部構成部材と横材および縦材との連結状態を表す側面図である。
【図６】角部構成部材と横材および縦材との連結状態の変更例を表す側面図である。
【図７】パチンコ機の外枠を構成する上部横材の変更例を表す斜視図（Ａ図）、Ａ図のB-B矢視断面図（Ｂ図）、及びＡ図のC-C矢視断面図（Ｃ図）である。
【図８】パチンコ機の外枠の変更例を表す全体斜視図である。
【図９】従来のパチンコ機の外枠を表す分解斜視図である。
【符号の説明】
【００２６】
１０      外枠
１２      上部横材
１４      下部横材
１６      左縦材
１８      右縦材
２２      第２角部構成部材
２２ｙ    横材連結板
２２ｔ    縦材連結板
２２ｓ    側板（リブ板）
３０      成形鉄板
３２      底板
３４      側板
４０      木板
【図１】
2006116202.tif 000003
【図２】
2006116202.tif 000004
【図３】
2006116202.tif 000005
【図４】
2006116202.tif 000006
【図５】
2006116202.tif 000007
【図６】
2006116202.tif 000008
【図７】
2006116202.tif 000009
【図８】
2006116202.tif 000010
【図９】
2006116202.tif 000011